(57)【要約】  物品取引方法は、メッセンジャー上の物品取引のための公式アカウントと購入希望者のアカウントとの間に設定された第１通信セッションにおいて、前記購入希望者の電子機器から購入を希望する物品に対する購入意思情報を受信する段階、前記メッセンジャー上の前記公式アカウントと販売者のアカウントとの間に設定された第２通信セッションにおいて、前記販売者の電子機器からイメージを受信する段階、および前記受信した購入意思情報のうちで前記イメージから認識された物品情報とマッチングする少なくとも１つの購入意思情報を含む取引対象候補を、前記第２通信セッションを経て前記販売者の電子機器に提供する段階を含む。
2021524950.tif 000002
【特許請求の範囲】
【請求項１】
コンピュータシステムが実行する物品取引方法であって、
前記コンピュータシステムは、メモリに含まれるコンピュータ読み取り可能な命令を実行するように構成された少なくとも１つのプロセッサを含み、
前記物品取引方法は、
前記少なくとも１つのプロセッサにより、メッセンジャー上の物品取引のための公式アカウントと購入希望者のアカウントとの間に設定された第１通信セッションにおいて、前記購入希望者の電子機器から購入を希望する物品に対する購入意思情報を受信する段階、
前記少なくとも１つのプロセッサにより、前記メッセンジャー上の前記公式アカウントと販売者のアカウントとの間に設定された第２通信セッションにおいて、前記販売者の電子機器からイメージを受信する段階、および
前記少なくとも１つのプロセッサにより、前記受信した購入意思情報のうちで前記イメージから認識された物品情報とマッチングする少なくとも１つの購入意思情報を含む取引対象候補を、前記第２通信セッションを経て前記販売者の電子機器に提供する段階
を含む、物品取引方法。
【請求項２】
前記イメージを受信する段階は、
前記第２通信セッションに対応するチャットルームにアップロードされる写真を受信するか、前記チャットルームで実行させたカメラ映像をストリーミング方式によって受信する段階
を含む、請求項１に記載の物品取引方法。
【請求項３】
前記提供する段階は、
事前に構築された物品ＤＢを利用したイメージ検索により、前記イメージ内から取引対象となる物品を認識する段階
を含む、請求項１に記載の物品取引方法。
【請求項４】
前記提供する段階は、
前記イメージと関連する位置に基づき、物品認識に必要となる参照イメージを前記販売者の電子機器にダウンロードする段階
を含み、
前記販売者の電子機器にダウンロードされた前記参照イメージを利用して前記イメージ内から取引対象となる物品を認識する、
請求項１に記載の物品取引方法。
【請求項５】
前記購入意思情報には、前記購入希望者が物品取引を希望する位置情報が含まれ、
前記提供する段階は、
前記イメージと関連する位置を基準に一定の半径内の位置情報をもつ少なくとも１つの購入意思情報を、前記第２通信セッションを経て前記販売者の電子機器に提供する段階
を含む、請求項１に記載の物品取引方法。
【請求項６】
前記提供する段階は、
前記受信した購入意思情報に前記物品情報とマッチングする購入意思情報が存在しなければ、前記物品情報を登録し、前記物品情報を登録した後、前記登録された物品情報とマッチングする購入意思情報が受信されれば、該当の購入意思情報に対する通知を前記販売者の電子機器に提供する段階
を含む、請求項１に記載の物品取引方法。
【請求項７】
前記提供する段階は、
前記イメージから複数の物品情報が認識されれば、前記イメージから認識された物品それぞれに対する購入意思情報を含む取引対象候補を、前記第２通信セッションを経て前記販売者の電子機器に提供する段階
を含み、
前記購入意思情報は、前記物品それぞれに対する物品名とともに、少なくとも１人の購入希望者が提示した価格情報を含む、請求項１に記載の物品取引方法。
【請求項８】
前記物品取引方法は、
前記少なくとも１つのプロセッサにより、前記イメージから認識された物品情報を登録する段階、および
前記少なくとも１つのプロセッサにより、前記購入希望者の要求にしたがい、前記登録された物品情報のうちで前記購入希望者の購入意思情報とマッチングする少なくとも１つの物品情報を含む取引対象候補を、前記第１通信セッションを経て前記購入希望者の電子機器に提供する段階
を含む、請求項１に記載の物品取引方法。
【請求項９】
前記物品取引方法は、
前記少なくとも１つのプロセッサにより、前記販売者によって前記取引対象候補から特定購入希望者の購入意思情報が選択されれば、前記メッセンジャー上の前記特定購入希望者のアカウントと前記販売者のアカウントとの間に設定された第３通信セッションにおいて、前記販売者と前記特定購入希望者との間に会話機能を提供する段階
を含む、請求項１に記載の物品取引方法。
【請求項１０】
前記販売者と前記特定購入希望者との間に会話機能を提供する段階は、
前記販売者と前記特定購入希望者との間の会話機能を、互いのユーザ識別可能情報を露出しないブラインド形態で提供する、請求項９に記載の物品取引方法。
【請求項１１】
前記販売者と前記特定購入希望者との間に会話機能を提供する段階は、
前記第３通信セッションに対応するチャットルームにおいて、前記販売者と前記特定購入希望者との間の位置案内のための地図画面を提供する段階
を含む、請求項９に記載の物品取引方法。
【請求項１２】
請求項１〜１１のうちのいずれか一項に記載の物品取引方法をコンピュータに実行させるためのプログラムが記録されている、非一時的なコンピュータ読み取り可能な記録媒体。
【請求項１３】
コンピュータシステムであって、
メモリ、および
前記メモリに接続され、前記メモリに含まれたコンピュータ読み取り可能な命令を実行するように構成された少なくとも１つのプロセッサ
を含み、
前記少なくとも１つのプロセッサは、
メッセンジャー上の物品取引のための公式アカウントと購入希望者のアカウントとの間に設定された第１通信セッションにおいて、前記購入希望者の電子機器から購入を希望する物品に対する購入意思情報を受信して登録する購入意思登録部、および
前記メッセンジャー上の前記公式アカウントと販売者のアカウントとの間に設定された第２通信セッションにおいて、前記販売者の電子機器からイメージが受信されれば、前記登録された購入意思情報のうちで前記イメージから認識された物品情報とマッチングする少なくとも１つの購入意思情報を含む取引対象候補を、前記第２通信セッションを経て前記販売者の電子機器に提供する取引対象提供部
を備える、コンピュータシステム。
【請求項１４】
前記少なくとも１つのプロセッサは、
前記第２通信セッションに対応するチャットルームにアップロードされる写真を受信するか、前記チャットルームで実行させたカメラ映像をストリーミング方式によって受信する、請求項１３に記載のコンピュータシステム。
【請求項１５】
前記購入意思情報には、前記購入希望者が物品取引を希望する位置情報が含まれ、
前記取引対象提供部は、
前記イメージと関連する位置を基準に一定の半径内の位置情報をもつ少なくとも１つの購入意思情報を、前記第２通信セッションを経て前記販売者の電子機器に提供する、請求項１３に記載のコンピュータシステム。
【請求項１６】
前記取引対象提供部は、
前記イメージから複数の物品情報が認識されれば、前記イメージから認識された物品それぞれに対する購入意思情報を含む取引対象候補を、前記第２通信セッションを経て前記販売者の電子機器に提供し、
前記購入意思情報は、前記物品それぞれに対する物品名とともに、少なくとも１人の購入希望者が提示した価格情報を含む、請求項１３に記載のコンピュータシステム。
【請求項１７】
前記少なくとも１つのプロセッサは、
前記少なくとも１つのプロセッサにより、前記イメージから認識された物品情報を登録する物品登録部
を備え、
前記取引対象提供部は、
前記購入希望者の要求にしたがい、前記登録された物品情報のうちで前記購入希望者の購入意思情報とマッチングする少なくとも１つの物品情報を含む取引対象候補を、前記第１通信セッションを経て前記購入希望者の電子機器に提供する、請求項１３に記載のコンピュータシステム。
【請求項１８】
前記少なくとも１つのプロセッサは、
前記販売者によって前記取引対象候補から特定購入希望者の購入意思情報が選択されれば、前記メッセンジャー上の前記特定購入希望者のアカウントと前記販売者のアカウントとの間に設定された第３通信セッションにおいて、前記販売者と前記特定購入希望者との間に会話機能を提供する会話処理部
を備える、請求項１３に記載のコンピュータシステム。
【請求項１９】
前記会話処理部は、
前記販売者と前記特定購入希望者との間の会話機能を、互いにユーザ識別可能情報を露出しないブラインド形態で提供する、請求項１８に記載のコンピュータシステム。
【請求項２０】
前記会話処理部は、
前記第３通信セッションに対応するチャットルームに、前記販売者と前記特定購入希望者との間の位置案内のための地図画面を提供する段階
を含む、請求項１８に記載のコンピュータシステム。
【発明の詳細な説明】
【技術分野】
【０００１】
以下の説明は、物品取引を支援する技術に関する。
【背景技術】
【０００２】
一般的なコミュニケーションツールであるインスタントメッセンジャー（ｉｎｓｔａｎｔ  ｍｅｓｓｅｎｇｅｒ）は、メッセージやデータをリアルタイムで送受信することのできるソフトウェアであって、ユーザがメッセンジャー上に会話の相手を登録すると、会話リストに登録された相手とリアルタイムでメッセージをやり取りすることができる。
【０００３】
このようなメッセンジャー機能は、ＰＣはもちろん、移動通信端末のモバイル環境でもその使用が普遍化している。
【０００４】
例えば、韓国公開特許第１０−２００２−００７４３０４号公報（公開日２００２年９月３０日）には、携帯端末機にインストールされたモバイルメッセンジャー間にメッセンジャーサービスを提供することができるようにした、無線通信網を利用した携帯端末機のモバイルメッセンジャーサービスシステムおよび方法が開示されている。
【０００５】
一般的に、メッセンジャーは、ユーザがチャットルームを通じて写真や動画、ファイル、連絡先、位置、スケジュールなどのような多様な情報を共有する機能と、チャットルームで共有した情報を検索する機能を支援する。
【発明の概要】
【発明が解決しようとする課題】
【０００６】
メッセンジャーを利用して、販売者と購入者との間に、より便利で効率的な物品取引の支援が可能なプラットフォームを提供することができる。
【０００７】
販売者がメッセンジャーに入力した映像から、人工知能（ＡＩ）を利用して取引対象となる物品情報を取得することができる。
【０００８】
販売者との距離に基づき、取引物品に対する購入希望者リストをメッセンジャーで提供することができる。
【０００９】
メッセンジャーにおいて、販売者と購入者との相互間に個人識別情報が露出されないブラインド（ｂｌｉｎｄ）形態で、物品情報をやり取りすることができる。
【００１０】
メッセンジャーにおいて、販売者と購入者との相互間に、物品取引場所に関する位置情報を提供することができる。
【課題を解決するための手段】
【００１１】
コンピュータシステムが実行する物品取引方法であって、前記コンピュータシステムは、メモリに含まれるコンピュータ読み取り可能な命令を実行するように構成された少なくとも１つのプロセッサを含み、前記物品取引方法は、前記少なくとも１つのプロセッサにより、メッセンジャー上の物品取引のための公式アカウントと購入希望者のアカウントとの間に設定された第１通信セッションにおいて、前記購入希望者の電子機器から購入を希望する物品に対する購入意思情報を受信する段階、前記少なくとも１つのプロセッサにより、前記メッセンジャー上の前記公式アカウントと販売者のアカウントとの間に設定された第２通信セッションにおいて、前記販売者の電子機器からイメージを受信する段階、および前記少なくとも１つのプロセッサにより、前記受信した購入意思情報のうちで前記イメージから認識された物品情報とマッチングする少なくとも１つの購入意思情報を含む取引対象候補を、前記第２通信セッションを経て前記販売者の電子機器に提供する段階を含む、物品取引方法を提供する。
【００１２】
一側面によると、前記イメージを受信する段階は、前記第２通信セッションに対応するチャットルームにアップロードされる写真を受信するか、前記チャットルームで実行されたカメラ映像をストリーミング方式によって受信する段階を含んでよい。
【００１３】
他の側面によると、前記提供する段階は、事前に構築された物品ＤＢを利用したイメージ検索により、前記イメージ内から取引対象となる物品を認識する段階を含んでよい。
【００１４】
また他の側面によると、前記提供する段階は、前記イメージと関連する位置に基づき、物品認識に必要となる参照イメージを前記販売者の電子機器にダウンロードする段階を含み、前記販売者の電子機器にダウンロードされた前記参照イメージを利用して前記イメージ内から取引対象となる物品を認識してよい。
【００１５】
また他の側面によると、前記購入意思情報には、前記購入希望者が物品取引を希望する位置情報が含まれ、前記提供する段階は、前記イメージと関連する位置を基準に一定の半径内の位置情報をもつ少なくとも１つの購入意思情報を、前記第２通信セッションを経て前記販売者の電子機器に提供する段階を含んでよい。
【００１６】
また他の側面によると、前記提供する段階は、前記受信した購入意思情報のうちで前記物品情報とマッチングする購入意思情報が存在しなければ、前記物品情報を登録し、前記物品情報を登録した後、前記登録した物品情報とマッチングする購入意思情報が受信されれば、該当の購入意思情報に対する通知を前記販売者の電子機器に提供する段階を含んでよい。
【００１７】
また他の側面によると、前記提供する段階は、前記イメージから複数の物品情報が認識されれば、前記イメージから認識された物品それぞれに対する購入意思情報を含む取引対象候補を、前記第２通信セッションを経て前記販売者の電子機器に提供する段階を含み、前記購入意思情報は、前記物品それぞれに対する物品名とともに、少なくとも１人の購入希望者が提示した価格情報を含んでよい。
【００１８】
また他の側面によると、前記物品取引方法は、前記少なくとも１つのプロセッサにより、前記イメージから認識された物品情報を登録する段階、および前記少なくとも１つのプロセッサにより、前記購入希望者の要求にしたがい、前記登録された物品情報のうちで前記購入希望者の購入意思情報とマッチングする少なくとも１つの物品情報を含む取引対象候補を、前記第１通信セッションを経て前記購入希望者の電子機器に提供する段階を含んでよい。
【００１９】
また他の側面によると、前記物品取引方法は、前記少なくとも１つのプロセッサにより、前記販売者によって前記取引対象候補から特定の購入希望者の購入意思情報が選択されれば、前記メッセンジャー上の前記特定の購入希望者のアカウントと前記販売者のアカウントとの間に設定された第３通信セッションにおいて、前記販売者と前記特定購入希望者との間に会話機能を提供する段階を含んでよい。
【００２０】
また他の側面によると、前記販売者と前記特定購入希望者との間に会話機能を提供する段階は、前記販売者と前記特定の購入希望者との間の会話機能を、互いにユーザ識別可能情報を露出しないブラインド形態によって提供してよい。
【００２１】
さらに他の側面によると、前記販売者と前記特定購入希望者との間に会話機能を提供する段階は、前記第３通信セッションに対応するチャットルームにおいて、前記販売者と前記特定購入希望者との間の位置案内のための地図画面を提供する段階を含んでよい。
【００２２】
前記物品取引方法をコンピュータに実行させるためのプログラムが記録されている、非一時的なコンピュータ読み取り可能な記録媒体を提供する。
【００２３】
コンピュータシステムであって、メモリ、および前記メモリに接続され、前記メモリに含まれるコンピュータ読み取り可能な命令を実行するように構成された少なくとも１つのプロセッサを含み、前記少なくとも１つのプロセッサは、メッセンジャー上の物品取引のための公式アカウントと購入希望者のアカウントとの間に設定された第１通信セッションにおいて、前記購入希望者の電子機器から購入を希望する物品に対する購入意思情報を受信して登録する購入意思登録部、および前記メッセンジャー上の前記公式アカウントと販売者のアカウントとの間に設定された第２通信セッションにおいて、前記販売者の電子機器からイメージが受信されれば、前記登録された購入意思情報のうちで前記イメージから認識された物品情報とマッチングする少なくとも１つの購入意思情報を含む取引対象候補を、前記第２通信セッションを経て前記販売者の電子機器に提供する取引対象提供部を備える、コンピュータシステムを提供する。
【図面の簡単な説明】
【００２４】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、サーバのプロセッサが含むことのできる構成要素の例を示した図である。
【図４】本発明の一実施形態における、サーバが実行することのできる方法の例を示したフローチャートである。
【図５】本発明の一実施形態における、購入希望者の購入意思情報を登録する過程を説明するための例示図である。
【図６】本発明の一実施形態における、購入希望者の購入意思情報を登録する過程を説明するための例示図である。
【図７】本発明の一実施形態における、イメージにおいて物品と該当の物品に対する購入希望者を確認する過程を説明するための例示図である。
【図８】本発明の一実施形態における、イメージにおいて物品と該当の物品に対する購入希望者を確認する過程を説明するための例示図である。
【図９】本発明の一実施形態における、イメージにおいて物品と該当の物品に対する購入希望者を確認する過程を説明するための例示図である。
【図１０】本発明の一実施形態における、販売者と購入希望者との間にブラインド会話を提供する過程を説明するための例示図である。
【図１１】本発明の一実施形態における、ブラインドチャットルームで提供する位置サービス画面の例を示した図である。
【図１２】本発明の一実施形態における、物品取引内訳を管理する過程を説明するための例示図である。
【図１３】本発明の一実施形態における、物品取引内訳を管理する過程を説明するための例示図である。
【発明を実施するための形態】
【００２５】
以下、本発明の実施形態について、添付の図面を参照しながら詳細に説明する。
【００２６】
本発明の実施形態は、メッセンジャーを利用して物品情報を提供する技術に関する。
【００２７】
本明細書で具体的に開示される事項を含む実施形態は、メッセンジャーを利用して販売者と購入者との間により便利で効率的な物品取引の支援が可能なプラットフォームを提供することができ、これにより、効率性、利便性、使用性、迅速性、費用節減などの側面において相当な長所を達成することができる。
【００２８】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数やサーバの数が図１のように限定されることはない。
【００２９】
複数の電子機器１１０、１２０、１３０、１４０は、コンピュータシステムによって実現される固定端末や移動端末であってよい。複数の電子機器１１０、１２０、１３０、１４０の例としては、スマートフォン、携帯電話、ナビゲーション、ＰＣ（ｐｅｒｓｏｎａｌ  ｃｏｍｐｕｔｅｒ）、ノート型ＰＣ、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレット、ゲームコンソール、ウェアラブルデバイス、ＩｏＴ（ｉｎｔｅｒｎｅｔ  ｏｆ  ｔｈｉｎｇｓ）デバイス、ＶＲ（ｖｉｒｔｕａｌ  ｒｅａｌｉｔｙ）デバイス、ＡＲ（ａｕｇｍｅｎｔｅｄ  ｒｅａｌｉｔｙ）デバイスなどがある。一例として、図１では、電子機器１１０の例としてスマートフォンを示しているが、本発明の実施形態において、電子機器１１０は、実質的に無線または有線通信方式を利用し、ネットワーク１７０を介して他の電子機器１２０、１３０、１４０および／またはサーバ１５０、１６０と通信することのできる多様な物理的なコンピュータシステムのうちの１つを意味してよい。
【００３０】
通信方式が限定されることはなく、ネットワーク１７０が含むことのできる通信網（一例として、移動通信網、有線インターネット、無線インターネット、放送網、衛星網など）を利用する通信方式だけではなく、機器間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００３１】
サーバ１５０、１６０それぞれは、複数の電子機器１１０、１２０、１３０、１４０とネットワーク１７０を介して通信して命令、コード、ファイル、コンテンツ、サービスなどを提供する１つ以上のコンピュータ装置によって実現されてよい。例えば、サーバ１５０は、ネットワーク１７０を介して接続した複数の電子機器１１０、１２０、１３０、１４０に第１サービスを提供するシステムであってよく、サーバ１６０も、ネットワーク１７０を介して接続した複数の電子機器１１０、１２０、１３０、１４０に第２サービスを提供するシステムであってよい。より具体的な例として、サーバ１５０は、複数の電子機器１１０、１２０、１３０、１４０においてインストールされて実行されるコンピュータプログラムであるアプリケーションを通じ、該当のアプリケーションが目的とするサービス（一例として、メッセンジャーサービスなど）を第１サービスとして複数の電子機器１１０、１２０、１３０、１４０に提供してよい。他の例として、サーバ１６０は、上述したアプリケーションのインストールおよび実行のためのファイルを複数の電子機器１１０、１２０、１３０、１４０に配布するサービスを第２サービスとして提供してよい。
【００３２】
図２は、本発明の一実施形態における、電子機器およびサーバの内部構成を説明するためのブロック図である。図２では、電子機器に対する例として電子機器１１０の内部構成、およびサーバ１５０の内部構成について説明する。また、他の電子機器１２０、１３０、１４０やサーバ１６０も、上述した電子機器１１０またはサーバ１５０と同一または類似の内部構成を有してよい。
【００３３】
電子機器１１０およびサーバ１５０は、メモリ２１１、２２１、プロセッサ２１２、２２２、通信モジュール２１３、２２３、および入力／出力インタフェース２１４、２２４を含んでよい。メモリ２１１、２２１は、非一時的なコンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、ディスクドライブ、ＳＳＤ（ｓｏｌｉｄ  ｓｔａｔｅ  ｄｒｉｖｅ）、フラッシュメモリ（ｆｌａｓｈ  ｍｅｍｏｒｙ）などのような永続的大容量記録装置を含んでよい。ここで、ＲＯＭ、ＳＳＤ、フラッシュメモリ、ディスクドライブのような永続的大容量記録装置は、メモリ２１１、２２１とは区分される別の永続的記録装置として電子機器１１０やサーバ１５０に含まれてもよい。また、メモリ２１１、２２１には、オペレーティングシステムと、少なくとも１つのプログラムコード（一例として、電子機器１１０においてインストールされて実行されるブラウザや、特定のサービスの提供のために電子機器１１０にインストールされるアプリケーションなどのためのコード）が記録されてよい。このようなソフトウェア構成要素は、メモリ２１１、２２１とは別のコンピュータ読み取り可能な記録媒体からロードされてよい。このような別のコンピュータ読み取り可能な記録媒体は、フロッピードライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（一例として、上述したサーバ１６０）がネットワーク１７０を介して提供するファイルによってインストールされるコンピュータプログラム（一例として、上述したアプリケーション）に基づいてメモリ２１１、２２１にロードされてよい。
【００３４】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に記録されたプログラムコードにしたがって受信される命令を実行するように構成されてよい。
【００３５】
通信モジュール２１３、２２３は、ネットワーク１７０を介して電子機器１１０とサーバ１５０とが互いに通信するための機能を提供してもよいし、電子機器１１０および／またはサーバ１５０が他の電子機器（一例として、電子機器１２０）または他のサーバ（一例として、サーバ１６０）と通信するための機能を提供してもよい。一例として、電子機器１１０のプロセッサ２１２がメモリ２１１のような記録装置に記録されたプログラムコードにしたがって生成した要求が、通信モジュール２１３の制御にしたがってネットワーク１７０を介してサーバ１５０に伝達されてよい。これとは逆に、サーバ１５０のプロセッサ２２２の制御にしたがって提供される制御信号や命令、コンテンツ、ファイルなどが、通信モジュール２２３とネットワーク１７０を経て電子機器１１０の通信モジュール２１３を通じて電子機器１１０に受信されてよい。例えば、通信モジュール２１３を通じて受信されたサーバ１５０の制御信号や命令、コンテンツ、ファイルなどは、プロセッサ２１２やメモリ２１１に伝達されてよく、コンテンツやファイルなどは、電子機器１１０がさらに含むことのできる記録媒体（上述した永続的記録装置）に記録されてよい。
【００３６】
入力／出力インタフェース２１４は、入力／出力装置２１５とのインタフェースのための手段であってよい。例えば、入力装置は、キーボード、マウス、マイクロフォン、カメラなどの装置を、出力装置は、ディスプレイ、スピーカ、触覚フィードバックデバイスなどのような装置を含んでよい。他の例として、入力／出力インタフェース２１４は、タッチスクリーンのように入力と出力のための機能が１つに統合された装置とのインタフェースのための手段であってもよい。入力／出力装置２１５は、電子機器１１０と１つの装置で構成されてもよい。また、サーバ１５０の入力／出力インタフェース２２４は、サーバ１５０に接続するかサーバ１５０が含むことのできる入力または出力のための装置（図示せず）とのインタフェースのための手段であってよい。より具体的な例として、電子機器１１０のプロセッサ２１２がメモリ２１１にロードされたコンピュータプログラムの命令を処理するにあたり、サーバ１５０や電子機器１２０が提供するデータを利用して構成されるサービス画面やコンテンツが、入力／出力インタフェース２１４を通じてディスプレイに表示されてよい。
【００３７】
また、他の実施形態において、電子機器１１０およびサーバ１５０は、図２の構成要素よりも多くの構成要素を含んでもよい。しかし、大部分の従来技術的構成要素を明確に図に示す必要はない。例えば、電子機器１１０は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、電子機器１１０がスマートフォンである場合、一般的にスマートフォンが含んでいる加速度センサやジャイロセンサ、カメラモジュール、物理的な各種ボタン、タッチパネルを利用したボタン、入力／出力ポート、振動のための振動器などのような多様な構成要素が、電子機器１１０にさらに含まれるように実現されてよい。
【００３８】
以下では、メッセンジャーを利用して物品情報を提供する物品取引方法とシステムの具体的な実施形態について説明する。
【００３９】
図３は、本発明の一実施形態における、サーバのプロセッサが含むことのできる構成要素の例を示したブロック図であり、図４は、本発明の一実施形態における、サーバが実行することのできる方法の例を示したフローチャートである。
【００４０】
従来は、物品取引形態のうちの１つである中古取引や直取引の場合には、販売者がインターネット上の専用掲示板に物品情報を作成および登録し、購入希望者との連絡のために携帯電話番号などの個人情報も登録しなければならなかった。本発明は、メッセンジャーを利用して販売者と購入者との間に個人識別情報を露出せず、安全かつ便利で、効率的な物品取引環境を提供することができる。
【００４１】
本明細書では、物品取引を行うための手段の一例として、メッセンジャー上の公式アカウントを利用することを説明しているが、これに限定されることはなく、チャットボット、あるいは人工知能（ａｒｔｉｆｉｃｉａｌ  ｉｎｔｅｌｌｉｇｅｎｃｅ：ＡＩ）や非人間的なシステムなどのように、チャット形式によって処理する手段であれば制限なく拡大適用が可能である。
【００４２】
本実施形態に係るサーバ１５０は、クライアントである複数の電子機器１１０、１２０、１３０、１４０を対象に、メッセンジャーを利用して物品取引サービスを提供するプラットフォームの役割を担う。このとき、サーバ１５０は、電子機器１１０、１２０、１３０、１４０上にインストールされるアプリケーション（すなわち、メッセンジャー）と連動して物品取引サービスを提供してよい。
【００４３】
このために、サーバ１５０のプロセッサ２２２は、構成要素として、図３に示すように、購入意思登録部３１０、物品登録部３２０、取引対象提供部３３０、および会話処理部３４０を備えてよい。実施形態によって、プロセッサ２２２の構成要素は、選択的にプロセッサ２２２に含まれても除外されてもよい。また、実施形態によって、プロセッサ２２２の構成要素は、プロセッサ２２２の機能の表現のために分離されても併合されてもよい。
【００４４】
このようなプロセッサ２２２およびプロセッサ２２２の構成要素は、図４の物品取引方法が含む段階４１０〜４５０を実行するようにサーバ１５０を制御してよい。例えば、プロセッサ２２２およびプロセッサ２２２の構成要素は、メモリ２２１が含むオペレーティングシステムのコードと、少なくとも１つのプログラムのコードとによる命令を実行するように実現されてよい。
【００４５】
ここで、プロセッサ２２２の構成要素は、サーバ１５０に記録されたプログラムコードが提供する命令にしたがってプロセッサ２２２によって実行される、プロセッサ２２２の互いに異なる機能の表現であってよい。例えば、サーバ１５０がイメージを受信するように上述した命令にしたがってサーバ１５０を制御するプロセッサ２２２の機能的表現として、イメージ受信部３１０が利用されてよい。
【００４６】
段階４１０で、プロセッサ２２２は、サーバ１５０の制御と関連する命令がロードされたメモリ２２１から必要な命令を読み取ってよい。この場合、前記読み取られた命令は、以下で説明する段階４２０〜４５０をプロセッサ２２２が実行するように制御するための命令を含んでよい。
【００４７】
段階４２０で、購入意思登録部３１０は、物品の購入を希望するユーザ（以下、「購入希望者」とする）が購入を希望する物品に対する購入意思情報を登録してよい。一例として、購入意思登録部３１０は、メッセンジャー上の物品取引のための公式アカウント（以下、「物品取引アカウント」とする）と購入希望者のアカウントとの間に設定された通信セッション（以下、「第１通信セッション」とする）において、購入希望者の電子機器（例えば、電子機器１２０）から購入希望者が購入を希望する物品に対する購入意思情報を受信し、登録してよい。購入希望者は、メッセンジャーの友達リストに物品取引アカウントを追加してよく、物品取引アカウントとのチャットルーム（すなわち、第１通信セッションに対応するメッセンジャーチャットルーム）で購入意思情報を伝達してよい。このとき、購入意思情報には、購入しようとする物品のカテゴリ名とモデル名のうちの少なくとも１つを含む物品名、購入を希望する価格情報、物品取引を希望する位置情報（例えば、経緯度座標、地域情報など）、購入希望者を識別するための識別情報（例えば、ＭＩＤ、メッセンジャーアカウントなど）などが含まれてよい。このとき、購入意思登録部３１０は、物品名（カテゴリ名および／またはモデル名）を基準に、同じ物品の購入を希望する購入希望者の購入意思情報をグルーピングして管理してよい。
【００４８】
段階４３０で、物品登録部３２０は、メッセンジャー上の物品取引アカウントと物品販売を希望するユーザ（以下、「販売者」とする）のアカウントとの間に設定された他の通信セッション（以下、「第２通信セッション」とする）において、販売者の電子機器（例えば、電子機器１１０）から物品取引要求が受信されれば、物品取引要求に含まれたイメージから物品情報を認識して登録してよい。販売者は、物品取引アカウントとのチャットルーム（すなわち、第２通信セッションに対応するメッセンジャーチャットルーム）に販売しようとする物品の写真をアップロードするか、あるいは物品取引アカウントとのチャットルームでカメラ映像を実行させて販売しようとする物品を撮影してよい。このとき、物品登録部３２０は、販売者の電子機器がチャットルームにアップロードした写真を受信するか、チャットルームで撮影中のカメラ映像をリアルタイムストリーミング方式によって受信してよく、人工知能認識技術やオブジェクト認識技術などを利用して、販売者の電子機器から受信したイメージ内から取引対象となる物品を認識してよい。一例として、物品登録部３２０は、事前に構築された物品ＤＢ（ｄａｔａｂａｓｅ）を利用したイメージ検索により、販売者の電子機器から受信したイメージから物品ＤＢ上の物品に対応する物品情報を認識してよい。ここで、物品ＤＢとは、インターネット上で購入可能な物品や、購入希望者が購入意思情報を登録しておいた物品に対し、各物品のイメージやスペックなどの物品情報を記録して構築したデータベースシステムであって、サーバ１５０に含まれた構成要素であっても、サーバ１５０と連動可能な個別のシステム上の構成要素であってもよい。上述では、サーバ１５０側でイメージ内の物品を認識すると説明しているが、これに限定されることはなく、サーバ１５０側で物品認識に必要な参照イメージを販売者の電子機器にダウンロードし、販売者の電子機器側でダウンロードした参照イメージを利用してイメージ内の物品を認識することも可能である。例えば、サーバ１５０は、購入希望者が購入意思情報を登録しておいた物品のうち、販売者の物品取引要求に含まれた位置情報を基準に一定の半径内で取引を希望する物品を対象に、該当の物品のイメージを含んだ物品情報を販売者の電子機器に伝達してよく、これにより、販売者の電子機器側では、サーバ１５０から伝達された物品情報を利用して、チャットルームにアップロードされたイメージ内から取引対象となる物品を認識してよい。イメージを利用して登録された物品情報には、物品のカテゴリ名とモデル名のうちの少なくとも１つを含む物品名、販売者の電子機器の位置情報、販売者を識別するための識別情報（例えば、ＭＩＤ、メッセンジャーアカウントなど）などが含まれてよい。
【００４９】
段階４４０で、取引対象提供部３３０は、販売者の物品取引要求に対し、購入希望者によって登録された購入意思情報のうちでイメージから認識された物品情報とマッチングする少なくとも１つの購入意思情報を含む取引対象候補を、第２通信セッションを経て販売者の電子機器に提供してよい。取引対象提供部３３０は、販売者の物品取引要求に含まれたイメージから認識された物品の購入を希望する購入希望者の購入意思情報を販売者の電子機器に提供してよい。このとき、取引対象提供部３３０は、販売者の物品取引要求に含まれた位置情報を基準に一定の半径内で物品購入を希望する購入希望者の購入意思情報を選別して販売者の電子機器に提供してよい。他の例として、取引対象提供部３３０は、購入希望者の要求にしたがい、販売者が登録した物品情報のうちで購入希望者の購入意思情報とマッチングする少なくとも１つの物品情報を含む取引対象候補を、購入希望者との通信セッションを経て購入希望者の電子機器に提供してよい。このとき、取引対象提供部３３０は、購入希望者が登録した購入意思情報の物品名とマッチングする物品情報、または購入希望者の購入意思情報に含まれた位置を基準に一定の半径内の位置情報をもつ物品情報を提供してよく、さらに物品検索のためにキーワードを入力するか位置を指定して該当の検索条件とマッチングする物品情報を提供することも可能である。
【００５０】
段階４５０で、会話処理部３４０は、販売者が取引対象候補から特定の購入希望者の購入意思情報を選択するか、購入希望者が取引対象候補から特定の販売者の物品情報を選択する場合、購入希望者と販売者のアカウントとの間に設定されたさらに他の通信セッション（以下、「第３通信セッション」とする）において、ブラインド形態の会話機能を提供してよい。会話処理部３４０は、販売者と購入希望者との間で物品取引のための相手が選択されれば、２人のユーザの間には、ユーザが識別可能な情報（例えば、名前、ニックネーム、プロフィールイメージなど）が露出されない、ブラインド会話を提供してよい。このとき、会話処理部３４０は、取引対象候補のうちから少なくとも１人以上が選択されれば、選択された相手との１対１の個人会話はもちろん、グループ会話を提供してもよい。また、会話処理部３４０は、第３通信セッションに対応するチャットルームを第１通信セッションまたは第２通信セッションに対応するチャットルームと関連付けて記録および管理してよい。言い換えれば、会話処理部３４０は、ユーザ間のブラインドチャットルームを、ユーザと物品取引アカウントとの間のチャットルームと関連付けて記録および管理してよい。
【００５１】
本発明の実施形態によると、販売者は、写真やカメラ映像などのイメージに基づいて取引対象となる物品と該当の物品に対する購入希望者を確認することができ、販売者と購入希望者との間で情報を露出しないブラインド会話によって価格交渉や取引場所などを指定することができる。
【００５２】
図５および図６は、本発明の一実施形態における、購入希望者の購入意思情報を登録する過程を説明するための例示図である。
【００５３】
図５は、購入希望者ａのアカウントと物品取引アカウントとの間に設定された通信セッションＡに対応するメッセンジャーチャットルーム５００を示している。このとき、メッセンジャーチャットルーム５００は、購入希望者ａの電子機器、例えば、スマートフォンに表示される画面であってよい。購入希望者ａが物品取引を希望する場合、スマートフォン上のメッセンジャーを実行させた後、物品取引アカウントとのチャットルーム５００に購入を希望する物品名を含んだ購入意思メッセージ５０１を入力すれば、チャットルーム５００に入力された購入意思メッセージ５０１が通信セッションＡを経てサーバ１５０に伝達されてよい。物品購入意思を物品取引アカウントとのチャットルーム５００にメッセージ形態で入力することはもちろん、該当のチャットルーム５００内で提供されるメニューを利用して入力することも可能である。サーバ１５０は、通信セッションＡを経て購入希望者ａの電子機器から受信した購入意思メッセージ５０１から物品名や価格情報などを抽出し、抽出した情報を購入希望者ａの購入意思情報として記録することによって物品ＤＢを構築してよい。
【００５４】
図６は、購入意思情報６００を含む物品ＤＢの例示図である。図６に示すように、購入意思情報６００は、購入希望者が購入しようとする物品のカテゴリ名とモデル名のうちの少なくとも１つを含む物品名６１０、購入を希望する価格情報６２０、物品取引を希望する位置情報６３０（例えば、経緯度座標、地域情報など）、購入希望者を識別するための識別情報６４０（例えば、ＭＩＤ、メッセンジャーアカウントなど）などを含んでよい。このとき、購入希望者は、物品名６１０としてカテゴリ名とモデル名の両方を入力しても、カテゴリ名とモデル名のうちのいずれか１つを入力してもよい。価格情報６２０は、購入希望者が直接入力した価格や、同じ製品に対するインターネット上の価格（例えば、最安値、最高値、平均価格、ここ最近の取引価格など）を含んでよい。位置情報６３０は、購入希望者が直接指定するか、あるいは購入意思メッセージの送信時点に購入希望者の電子機器から取得した位置情報を含んでよい。
【００５５】
図７〜９は、本発明の一実施形態における、イメージにおいて物品と該当の物品に対する購入希望者を確認する過程を説明するための例示図である。
【００５６】
図７〜９は、販売者ｂのアカウントと物品取引アカウントとの間に設定された通信セッションＢに対応するメッセンジャーチャットルーム７００、９００を示している。このとき、図７〜９のメッセンジャーチャットルーム７００、９００は、販売者ｂの電子機器、例えば、スマートフォンに表示される画面であってよい。
【００５７】
図７を参照すると、販売者ｂが販売しようとする物品の写真７０１をメッセンジャーチャットルーム７００にアップロードすれば、サーバ１５０は、写真７０１から認識された物品の物品名７１０と、該当の物品を購入しようとする購入希望者の購入意思情報７２０を提供してよい。このとき、サーバ１５０は、写真７０１をアップロードした時点に販売者ｂの電子機器から取得した位置または写真７０１に含まれた位置を基準に一定の半径内で写真７０１内の物品の購入を希望する購入希望者の購入意思情報７２０を選別して提供してよい。購入意思情報７２０には、各購入希望者が提示した価格と、物品取引を希望した購入希望者の位置や販売者の位置までの距離などが含まれてよい。購入意思情報７２０には、購入希望者が提示した価格はもちろん、インターネット上の価格（例えば、最安値、最高値、平均価格、ここ最近の取引価格など）をともに提供してよく、中古物品の取引の場合には、中古取引の価格とともに、新品の価格を含んで価格情報を提供してよい。また、購入意思情報７２０には、距離を制約せず、写真７０１内の物品の購入を希望する全国の購入希望者の購入意思情報を提供することも可能である。
【００５８】
サーバ１５０は、写真７０１から認識された物品とマッチングする購入意思情報がない場合、すなわち、写真７０１内の物品に対する購入希望者がいない場合には、図８に示すように、写真７０１から認識された物品の物品名７１０ともに、該当の物品の販売待機設定のための物品登録メニュー８３０を提供してよい。サーバ１５０は、販売者ｂがメッセンジャーチャットルーム７００で物品登録メニュー８３０を入力する場合、写真７０１から認識された物品のカテゴリ名とモデル名のうちの少なくとも１つを含む物品名、販売者ｂの電子機器の位置情報、販売者ｂを識別するための識別情報（例えば、ＭＩＤ、メッセンジャーアカウントなど）などを含んだ物品情報を登録して待機してよく、以後に販売待機中の物品に対して購入希望者から購入意思情報が登録されれば、該当の購入意思情報に対する通知を販売者ｂの電子機器に伝達してよい。
【００５９】
他の例として、図９を参照すると、販売者ｂがメッセンジャーチャットルーム９００でカメラを実行させる場合、カメラ映像９０１に対するリアルタイムストリーミングが実行されてよい。このとき、サーバ１５０は、カメラ映像９０１から認識された物品それぞれに対し、該当の物品の物品名９１１と、該当の物品を購入しようとする購入希望者の購入意思情報９２０を提供してよい。同じように、カメラ映像９０１が受信された時点に販売者ｂの電子機器から取得した位置、またはカメラ映像９０１に含まれた位置を基準に一定の半径内でカメラ映像９０１内の物品の購入を希望する購入希望者の購入意思情報９２０を選別して提供してよい。購入意思情報９２０には、各購入希望者が提示した価格と、物品取引を希望した購入希望者の位置、販売者の位置までの距離などが含まれてよい。購入意思情報９２０には、購入希望者が提示した価格はもちろん、インターネット上の価格（例えば、最安値、最高値、平均価格、ここ最近の取引価格など）をともに提供してよく、中古物品の取引の場合には、中古取引の価格とともに、新品の価格を含んで価格情報を提供してよい。また、購入意思情報９２０には、距離を制約せず、カメラ映像９０１内の物品の購入を希望する全国の購入希望者の購入意思情報を提供することも可能である。また、サーバ１５０は、カメラ映像９０１から認識された物品に対する購入希望者がいない場合には、該当の物品の物品名９１２とともに、該当の物品の販売待機設定のための物品登録メニュー９３０を提供してよい。サーバ１５０は、販売者ｂが物品登録メニュー９３０を入力する場合、カメラ映像９０１から認識された物品のカテゴリ名とモデル名のうちの少なくとも１つを含む物品名、販売者ｂの電子機器の位置情報、販売者ｂを識別するための識別情報（例えば、ＭＩＤ、メッセンジャーアカウントなど）などを含んだ物品情報を登録して待機してよく、以後に販売待機中の物品に対して購入希望者から購入意思情報が登録されれば、該当の購入意思情報に対する通知を販売者ｂの電子機器に伝達してよい。
【００６０】
図１０は、本発明の一実施形態における、販売者と購入希望者との間にブラインド会話を提供する過程を説明するための例示図である。
【００６１】
図１０は、購入希望者ａのアカウントと販売者ｂのアカウントとの間に設定された通信セッションＣに対応するメッセンジャーチャットルーム１０００を示している。このとき、図１０のメッセンジャーチャットルーム１０００は、販売者ｂの電子機器、例えば、スマートフォンに表示される画面であってよい。
【００６２】
サーバ１５０は、販売者ｂが、メッセンジャーチャットルーム７００、９００に提供される購入意思情報７２０、９２０から特定の購入希望者ａの購入意思情報を選択する場合、購入希望者ａと互いに識別可能な情報を露出しないブラインドチャットルーム１０００を提供してよい。このとき、サーバ１５０は、販売者ｂが販売しようとする物品、すなわち、写真７０１やカメラ映像９０１から認識された物品の物品名にブラインドチャットルーム１０００の名称１１１０を自動設定してよい。言い換えれば、ブラインドチャットルーム１０００は、販売者と購入希望者との間で取引しようとする物品の物品名によって管理されてよい。購入希望者ａと販売者ｂは、名前、ニックネーム、プロフィールイメージなどのように個人識別が可能な情報を露出しないブラインド会話により、物品の状態、価格、取引手段（直取引、宅配取引など）、取引場所、時間日付などを互いに確認してよい。
【００６３】
ブラインドチャットルーム１０００には、販売者ｂと購入希望者ａとの間の位置案内のための位置提供メニュー１００５が含まれてよく、サーバ１５０は、販売者ｂがブラインドチャットルーム１０００で位置提供メニュー１００５を選択する場合、図１１に示すように、購入希望者ａが物品取引のために指定した位置１１０１を含む地図画面１１００を提供してよい。サーバ１５０は、ブラインドチャットルーム１０００によって位置サービスを提供する以外にも、販売者と購入希望者とが合意した取引価格に対する送金サービスを提供することも可能である。
【００６４】
図１２および図１３は、本発明の一実施形態における、物品取引内訳を管理する過程を説明するための例示図である。
【００６５】
図１２に示すように、ユーザ（購入希望者と販売者の両方を含む）のアカウントと物品取引アカウントとの間に設定された通信セッションに対応するメッセンジャーチャットルーム１２００には、物品取引に関する個人履歴にアクセス可能な「Ｍｙ  Ｄｅａｌ」メニュー１２１０が含まれてよい。サーバ１５０は、ユーザごとに、物品取引のために生成されたブラインドチャットルームリストを含む会話履歴、ユーザが購入した物品情報を含む購入履歴、ユーザが販売した物品情報を含む販売履歴などを管理してよく、メッセンジャーチャットルーム１２００で「Ｍｙ  Ｄｅａｌ」メニュー１２１０が選択される場合、図１２に示すように、ブラインド会話履歴を提供するための「会話履歴」メニュー１２１１、購入履歴を提供するための「購入履歴」メニュー１２１２、販売履歴を提供するための「販売履歴」メニュー１２１３などが提供されてよい。このとき、ユーザが「会話履歴」メニュー１２１１を選択する場合、図１３に示すように、ユーザが他のユーザとの物品取引のために利用したブラインドチャットルームリスト１３０１が提供されてよい。ブラインドチャットルームリスト１３０１は、チャットルームの生成順やチャットルームの名前順によって整列されてよく、ブラインドチャットルームリスト１３０１でチャットルームを選択することにより、物品取引のために会話をしたチャットルーム（例えば、図１０のメッセンジャーチャットルーム）への移動が可能となる。ユーザは、ユーザのアカウントと物品取引アカウントとの間に設定された通信セッションに対応するメッセンジャーチャットルーム上で、ブラインドチャットルームリストを含む会話履歴はもちろん、購入物品情報を含む購入履歴や、販売物品情報を含む販売履歴などを確認することができる。
【００６６】
購入希望者の立場でも同じように、購入希望者が物品取引アカウントとのメッセンジャーチャットルームに特定の物品に対する購入意思を入力する場合、サーバ１５０は、購入希望者の購入意思に対応する販売者の物品情報を含む取引対象候補を提供してよく、購入希望者が取引対象候補から特定の販売者の物品情報を選択すれば、選択した特定の販売者とのブラインド会話を提供してよい。このとき、購入希望者の購入意思に対応する物品情報が存在しない場合には、購入希望者の購入意思を登録しておき、待機中に購入希望者の購入意思に対応する物品情報が登録されれば、該当の物品情報に対する通知を購入希望者に伝達してよい。
【００６７】
このように、本発明の実施形態によると、メッセンジャーを利用して販売者と購入者との間に、より便利で効率的な物品取引の支援が可能なプラットフォームを提供することができる。
【００６８】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００６９】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００７０】
実施形態に係る方法は、多様なコンピュータ手段によって実行可能なプログラム命令の形態で実現されてコンピュータ読み取り可能な媒体に記録されてよい。ここで、媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスクのような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。
【００７１】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００７２】
したがって、異なる実施形態であっても、特許請求の範囲と均等なものであれば、添付される特許請求の範囲に属する。
【図１】
2021524950.tif 000003
【図２】
2021524950.tif 000004
【図３】
2021524950.tif 000005
【図４】
2021524950.tif 000006
【図５】
2021524950.tif 000007
【図６】
2021524950.tif 000008
【図７】
2021524950.tif 000009
【図８】
2021524950.tif 000010
【図９】
2021524950.tif 000011
【図１０】
2021524950.tif 000012
【図１１】
2021524950.tif 000013
【図１２】
2021524950.tif 000014
【図１３】
2021524950.tif 000015
【国際調査報告】
2021524950.tif 000016
2021524950.tif 000017
2021524950.tif 000018
2021524950.tif 000019